(57)【要約】【課題】屋根架構時の作業性を高め、かつ仮設材を少なくし撤去等も容易として工期を短縮できる梁部材の架設方法を提供する。【解決手段】構造体１の屋根部を構築する際、まず、構造体１のクレーンガーター１３上でスライド台２１、屋根梁３１ｅ、作業台２４を順に構築しスライドステージ２を形成する。次に、このスライドステージ２上で、新たな梁部材３１ａを組立てて構築する。その後、スライドステージ２をクレーンガーター１３上で移動させ、梁部材３１ａを構造体１に取り付ける。以下、スライドステージ２を移動しつつ梁部材３１ｂ〜３１ｃの構築と取付を行い、最後に、スライドステージ２に用いた梁部材３１ｅを構造体１に取り付ける。【選択図】図３
2014025282.tif 000002
【特許請求の範囲】
【請求項１】
構造体の屋根部を構成する梁部材の架設方法であって、
梁部材を梁架設位置よりも下方において構築する工程と、
前記梁部材と仮設材からなる作業用ステージ上で、新たな梁部材を構築する工程と、
前記新たな梁部材を前記構造体に取り付ける工程と、
前記作業用ステージに用いられた梁部材を前記構造体に取り付ける工程と、
を有することを特徴とする梁部材の架設方法。
【請求項２】
前記構造体は、クレーンガーターを有し、
前記作業用ステージが、前記クレーンガーター上を移動可能であることを特徴とする請求項１に記載の梁部材の架設方法。
【請求項３】
前記新たな梁部材および前記作業用ステージに用いられた梁部材の前記構造体への取付時には、いずれか２つの梁部材の間で、クレーンの搬入のための空間が設けられるようにしておき、
前記クレーンを前記空間から搬入して前記クレーンガーター上に配置する工程をさらに有することを特徴とする請求項２に記載の梁部材の架設方法。
【請求項４】
前記クレーンガーターの前記作業用ステージに接する面、および、前記作業用ステージの前記クレーンガーターに接する面のそれぞれに、摺動材が設けられることを特徴とする請求項２または請求項３のいずれかに記載の梁部材の架設方法。
【請求項５】
前記構造体の外周部には、梁部材の端部を取り付けるための、内側方向に突出するブラケットが、前記作業用ステージの移動方向に沿って複数設けられており、
前記作業用ステージの移動方向に沿った一方の端部にあるブラケットの突出する長さが、それ以外のブラケットより長いことを特徴とする請求項２から請求項４のいずれかに記載の梁部材の架設方法。
【請求項６】
前記作業用ステージに用いられた梁部材を前記構造体に取り付ける際は、当該梁部材の端部に滑動部を設けるとともに、前記構造体の外周部の上部に設けた揚重部により前記滑動部と前記構造体とが接した状態で引き上げていくことを特徴とする請求項１から請求項５のいずれかに記載の梁部材の架設方法。
【発明の詳細な説明】
【技術分野】
【０００１】
本発明は屋根部を構成する梁部材の架設方法に関する。
【背景技術】
【０００２】
構造体を構築する際、屋根部において梁を架設することがある。しかし、大規模な梁になると、梁の架設時において様々な制約があり、梁の架設が難しいことがある。
【０００３】
例えば、現場においては、周囲に作業スペースがなく梁の組立てを行うスペースがなかったり、また組み立てた梁を持ち上げるための大型クレーンの設置場所が限定され、その揚重能力、可動範囲が限定的なものとなる場合がある。また、大きく重い梁の場合では、設置可能な重機で揚重できる大きさに分割し、仮支持しながら架設しなければならない。さらに、構造体内部で躯体構築が行われている場合では、梁を架設するため構造体内部にベントを設置することも難しい。
【０００４】
一方で、屋根の架構方法としては、作業用ステージの上など適当な箇所で屋根架構を組み立て、これを下部構造体の上で横引き移動させた後、下部構造体上の所定位置に固定するものがある。これにより、屋根架構時の作業性を向上させることができる。
【０００５】
例えば、特許文献１の方法では、予め多数の柱とクレーンガ−ターからなる下部構造フレームを建設しておき、クレーンガーター上に車輪と高さ調整機構を有する箱状フレーム走行体を載置する。そして、この走行体上に鉄骨屋根部材を載置した後ジャッキアップして所定位置まで移動し、その後走行体をジャッキダウンさせて鉄骨屋根部材を下部構造フレームに固定する。
【０００６】
また、特許文献２には、下部構造体の上部桁梁の上に予め走行用プレートを敷き、滑り板を取付けた屋根トラスを走行用プレートと滑り板により滑らせて横引き移動した後、屋根トラスをジャッキアップさせて走行用プレートおよび滑り板を取り除き、屋根トラスのベースプレートを下部構造体の桁梁に固定する方法が記載されている。
【０００７】
さらに、特許文献３には、屋根架構を複数のブロックに分割し、作業ステージで組み立てた屋根架構ブロックを下部構造体の上部に設置した走行レールに沿って順次移動させながら組み立ててゆくスライディング工法において、仮設に使用するステージ上で、鉄骨工事を終了した先行ブロックの内外装の仕上げ工事と、後行ブロックの鉄骨工事を同時進行で行う方法が示されている。
【０００８】
また、特許文献４には、揚重機構によりリフティングを完了した大梁の下面にスライディング部材を取り付け、建物の対向する壁部上に固定されたスライディング軌道上を水平方向にスライディングさせることにより、所望の位置に大梁を正確にセットする方法が記載されている。
【０００９】
加えて、特許文献５には、組み立てられた屋根架構を下部構造体の上を横移動させて所定位置に設置する建方工法を行うに際し、屋根架構のスパン方向両側部における下部に屋根架構移動方向に延在する移動用ビームを設け、下部構造体の上に屋根架構移動方向に所定間隔をおいて設置した転がり支持装置などにより移動用ビームを支持して移動させることが記載されている。
【先行技術文献】
【特許文献】
【００１０】
【特許文献１】特公昭５２−５７７０号公報
【特許文献２】特公昭６３−５５５６９号公報
【特許文献３】特公平５−１５８６９号公報
【特許文献４】特開平６−１２９０４５号公報
【特許文献５】特開平９−７２００４号公報
【発明の開示】
【発明が解決しようとする課題】
【００１１】
このような従来の方法では、屋根架構時の設置と屋根架構後の撤去を要する仮設材を用いている。しかしながら、この仮設材が大規模となったり、部材数が多くなったり、設置と撤去に手間がかかったりする場合があり、これにより工期が長くなる等の問題があった。
【００１２】
本発明は、上記の問題点に鑑みてなされたもので、屋根架構時の作業性を高め、かつ仮設材を少なくし、撤去等も容易として工期を短縮できる梁部材の架設方法を提供することを目的とする。
【課題を解決するための手段】
【００１３】
前述の目的を達するための第１の発明は、構造体の屋根部を構成する梁部材の架設方法であって、梁部材を梁架設位置よりも下方において構築する工程と、前記梁部材と仮設材からなる作業用ステージ上で、新たな梁部材を構築する工程と、前記新たな梁部材を前記構造体に取り付ける工程と、前記作業用ステージに用いられた梁部材を前記構造体に取り付ける工程と、を有することを特徴とする梁部材の架設方法である。
【００１４】
本発明では、本設の梁部材を用いた作業用ステージを利用して、そこで新たに本設の梁部材の構築を行う。そして、この梁部材を構造体に取り付けるとともに、その後作業用ステージとして利用した梁部材を構造体に取り付けて屋根部を構築する。通常、作業用ステージは仮設のものであり最後に撤去するが、本発明においては、上記のように作業用ステージの一部として本設の梁部材を用いているので、仮設材の量を減らすことができ撤去も容易になり、仮設材の設置、撤去に係る工程が短縮される。
また、作業用ステージ上で梁部材を構築し、これを取り付けるので、下からのベントを最小限として梁部材の構築および取付ができ、屋根架構と低層階での躯体構築の並行作業が可能となる。さらに、作業用ステージを活用して堅牢な足場上で作業ができるので、墜落防止に役立つとともに飛来物落下による災害も軽減できる。
【００１５】
また、前記構造体は、クレーンガーターを有し、前記作業用ステージが、前記クレーンガーター上を移動可能であることが望ましい。
【００１６】
このように本設のクレーンガーターを利用して作業用ステージを移動させることで、仮設のレール等を別に設けずとも、作業用ステージを移動させることができる。
作業用ステージを移動可能とすると、例えば梁部材等の構築のため作業クレーンを別に設置する場合に、該作業クレーンの届く範囲で構築した梁部材を該範囲の外に移動させて別の位置に取り付けたり、作業用ステージを作業クレーンの届く範囲まで移動させその上で梁部材の構築と取付を行うことができる。従って、構造体の周囲にスペースがない場合に作業クレーンの数を減らしたり、作業クレーンの揚重能力、可動範囲が限定的なものであっても容易に施工ができ、前記のような作業用ステージの構成と相まって、作業性をさらに高めることができる。
【００１７】
前記新たな梁部材および前記作業用ステージに用いられた梁部材の前記構造体への取付時には、いずれか２つの梁部材の間で、クレーンの搬入のための空間が設けられるようにしておき、前記クレーンを前記空間から搬入して前記クレーンガーター上に配置する工程をさらに有することが望ましい。
このように、梁部材の間に空間を設けておき、クレーンの搬入に用いることで、クレーンガーター上への本設のクレーンの配置が容易になる。
【００１８】
前記クレーンガーターの前記作業用ステージに接する面、および、前記作業用ステージの前記クレーンガーターに接する面のそれぞれに、摺動材が設けられることが望ましい。
これにより、作業用ステージをクレーンガーターの上で滑らせて移動させることができる。従って、作業用ステージの移動をジャッキ等を用いて容易に行うことができる。
【００１９】
前記構造体の外周部には、梁部材の端部を取り付けるための、内側方向に突出するブラケットが、前記作業用ステージの移動方向に沿って複数設けられており、前記作業用ステージの移動方向に沿った一方の端部にあるブラケットの突出する長さが、それ以外のブラケットより長いことが望ましい。
梁部材の取付のため構造体にブラケットを設ける場合には、上記の構成とすることで、端部のブラケットに取り付ける梁部材を作業用ステージで移動させる際、この梁部材が他のブラケットに干渉することがなくなる。
【００２０】
前記作業用ステージに用いられた梁部材を前記構造体に取り付ける際は、当該梁部材の端部に滑動部を設けるとともに、前記構造体の外周部の上部に設けた揚重部により前記滑動部と前記構造体とが接した状態で引き上げていくことが望ましい。
作業用ステージに用いた梁部材を取り付けるためには、これを引き上げる必要があるが、この際、構造体の上部に揚重部を取り付けてこれを用いると容易に作業ができる。ただし、揚重に伴う反力により構造体が内に回転しこれが梁部材の引き上げを妨げる恐れがあるので、上記のように梁部材の端部に滑動部を設け、これにより構造体を押し広げつつ構造体上を滑らせることで、梁部材の引き上げを容易に行うことができる。
【発明の効果】
【００２１】
本発明により、屋根架構時の作業性を高め、かつ仮設材を少なくし撤去等も容易として工期を短縮できる梁部材の架設方法を提供することができる。
【図面の簡単な説明】
【００２２】
【図１】梁部材を架設する前の構造体１を示す図
【図２】下部構造１１等の位置を示す図
【図３】梁部材の架設方法を示す図
【図４】スライドステージ２を示す図
【図５】梁部材の架設方法を示す図
【図６】ブラケット１５ａについて示す図
【図７】梁部材３１ａの取付について示す図
【図８】梁部材の架設方法を示す図
【図９】梁部材の架設方法を示す図
【図１０】梁部材の架設方法を示す図
【図１１】梁部材の架設方法を示す図
【図１２】梁部材３１ｅの取付について示す図
【図１３】梁部材の架設方法を示す図
【図１４】梁部材の架設方法を示す図
【発明を実施するための形態】
【００２３】
以下、図面を参照しながら本発明の梁部材の架設方法の実施形態について説明する。
【００２４】
（梁部材の架設を行う構造体１）
図１は、本実施形態において、屋根部を構成する梁部材の架設を行う構造体１を示す図である。図１（ａ）、（ｂ）は構造体１の側面を図１（ｃ）の矢印Ａ、Ｂの方向からそれぞれ見た図である。図１（ｃ）は構造体１を上から見た図である。また、図２（ａ）〜（ｄ）は、図１（ｃ）の線Ａ１−Ａ１’、Ａ２−Ａ２’、Ｂ１−Ｂ１’、Ｂ２−Ｂ２’に沿って下部構造１１等の位置を示した図である。
【００２５】
本実施形態において、構造体１は火力発電所のタービン棟であり、クレーンガーター１３、柱１５、梁１７、および下部構造１１が先行して構築されている。
【００２６】
柱１５は構造体１の外周部に沿って設けられ、梁１７はこれらの柱１５に沿って水平方向に架け渡される。
【００２７】
下部構造１１は、構造体１の低層階で先行して構築される構造躯体であり、火力発電所で用いる様々な設備が配置される。なお、図に示す低層階のうち、下部構造１１が構築されていない部分１２は、タービンを配置するためのタービン架台が後に構築される。
【００２８】
クレーンガーター１３は、タービン等のメンテナンスに用いるためのクレーンを架け渡して移動可能に支持するための梁であり、ランウェイガーターとも呼ばれる。クレーンガーター１３には、クレーンを移動させるための本設のレール（後述するレール１３ｂ）が後に設置される。クレーンガーター１３は、構造体１の最上層において、構造体１の対向する両側面に沿って平行に設けられる。
【００２９】
本実施形態では、この構造体１への屋根架構時、屋根部を構成する梁部材を以下に示すように架設する。この架設方法を図３〜図１４を参照しながら説明する。
【００３０】
（梁部材の架設方法）
（１．スライドステージ２の構築と梁部材３１ａの構築）
図３に示すように、本実施形態では、まず構造体１の梁架設位置（構造体１の上端）の下方で、両側のクレーンガーター１３に架け渡すようにスライドステージ２を構築する。なお、図３において、（ａ）は構造体１を上から見た図であり、（ｂ）は（ａ）の線Ｃ−Ｃ’に沿って梁部材等の位置を示した図である。以下、図５、８〜１１、１３、１４において同様である。
【００３１】
スライドステージ２は、構造体１の平面において、クレーンガーター１３の長手方向の一方の端部側で構築される。スライドステージ２を構築する際には、構造体１内でベント４を組み立て、これを利用する。スライドステージ２を構築した後ベント４は撤去する。また、前記一方の端部の近辺で作業クレーン（不図示）を地面に設置し、この作業クレーンを用いてスライドステージ２の構築に必要な部材を吊り込む。以下、クレーンガーター１３の長手方向について、前記一方の端部側（図３（ａ）で下側）を手前といい、他方の端部側（図３（ａ）で上側）を奥というものとする。
【００３２】
図４（ａ）を参照して、スライドステージ２について説明する。スライドステージ２は、梁部材の組立作業等を行うための作業用ステージであり、図に示すように、スライド台２１、梁部材３１ｅ、作業台２４等からなる。
【００３３】
スライド台２１は、スライドステージ２の下部に設けられる。スライド台２１は、基台２１１と基部２１３からなる。
【００３４】
基台２１１は、梁スパン方向（図３（ａ）の左右方向で示す）に沿って、両側のクレーンガーター１３に架け渡すように設けられる板材である。基台２１１の梁スパン方向の両側端部には、基部２１３が設けられる。
【００３５】
基部２１３は、クレーンガーター１３上をスライドする部分である。図４（ｂ）は基部２１３を図４（ａ）の矢印Ｄに示す方向から見た図である。
【００３６】
図に示すように、基部２１３のクレーンガーター１３に接する面、および、クレーンガーター１３の基部２１３に接する面には、それぞれ、摺動材２１３ｂ、１３ａが設けられる。例えば、摺動材２１３ｂとしてテフロン（登録商標）板を用い、摺動材１３ａとしてステンレス板を用いることができる。ただし、摺動材２１３ｂ、１３ａはこれらに限らず、摩擦抵抗が小さく互いに摺動可能なものであればよい。
【００３７】
スライドステージ２は、前方でクレーンガーター１３に取り付けたジャッキ２１５（図４（ａ）参照）を用いて引くか、あるいは後方でクレーンガーター１３に取り付けたジャッキを用いて押すことにより移動する。この際、摺動材２１３ｂ、１３ａによりスライドステージ２がクレーンガーター１３上を摺動する。
【００３８】
基部２１３の外側には張出部２１３ａが設けられる。張出部２１３ａは、下方に向かってかぎ状に折り曲げられた折曲部２１３ｃを有する。梁スパン方向の両側の基部２１３のいずれかにおいて、この折曲部２１３ｃがクレーンガーター１３の側面に当接することにより、スライドステージ２の梁スパン方向の移動は拘束され、基部２１３がクレーンガーター１３から外れるのを防ぐことができる。
【００３９】
スライド台２１の上には梁部材３１ｅが設けられる。梁部材３１ｅは、前記のスライド台２１を構築した後、基台２１１の上で組み立てて構築される。この梁部材３１ｅは後述する工程において構造体１に取り付けられるものであるが、本実施形態では、スライドステージ２の一部として予めスライド台２１上に構築しておく。
【００４０】
梁部材３１ｅの上には作業台２４が設けられる。作業台２４は、梁部材３１ｅを構築した後、その上に構築される。作業台２４は、スライドステージ２の上方で新たな梁部材を組み立てて構築するため設けるもので、複数の受板２４１を重ねて構成される。これにより梁部材を組み立てる高さが梁部材の取付高さに近づくように調整される。また、上部の受板２４１の下には、ジャッキ２４３が設けられる。
【００４１】
なお、スライドステージ２には、上記の他、図示しない手すりや防護ネットを設け、作業者の安全性を確保し、工具の落下等を防ぐようにしておく。
【００４２】
このようにしてスライド台２１、梁部材３１ｅ、作業台２４を順に構築してスライドステージ２を形成した後、図３（ｂ）に示すように、スライドステージ２の上で、新たな梁部材３１ａを組み立てて構築する。
【００４３】
（２．スライドステージ２の移動と梁部材３１ａの取付）
次に、図５に示すように、スライドステージ２をクレーンガーター１３に沿って奥にスライドさせ、その端部にある架設位置まで梁部材３１ａを移動させる。なお、この位置は、前記した作業クレーンの可動範囲外にある。
【００４４】
ここで、図６に示すように、構造体１の対向する両側面において、クレーンガーター１３の長手方向に沿った複数の柱１５には、梁部材を取り付けるためのブラケット１５ａがそれぞれ設けられている。
【００４５】
これらのブラケット１５ａは構造体１の平面の内側に突出するが、その突出長さは、クレーンガーター１３に沿って奥の端部にあるものが、他のブラケット１５ａよりも長くなっている。前記の梁部材３１ａは、この突出長さの長いブラケット１５ａ間の距離Ｌに合わせた長さで構築される。
【００４６】
一方、他のブラケット１５ａの突出長さは短いので、スライドステージ２に載せた梁部材３１ａが矢印Ｆで示すように奥へ移動する際、点線Ｅに示すように、梁部材３１ａの端部が他のブラケット１５ａと干渉することがない。
【００４７】
このようにしてスライドステージ２を梁部材３１ａの架設位置まで移動させた後、梁部材３１ａを柱１５に取り付ける。図７を参照して、梁部材３１ａの取り付けについて説明する。
【００４８】
図７（ａ）に示すように、本実施形態において、柱１５は、ブラケット１５ａを設けた上部柱１５１が、下部柱１５３の上端に建方治具（不図示）を用いて取り付けられた構造となっている。
【００４９】
図７（ｂ）に示すように、梁部材３１ａの取付時には、建方治具を一部緩めて上部柱１５１を若干外側に傾斜した状態としている。この状態で前記したスライドステージ２の移動を行い、梁部材３１ａが、その端部とブラケット１５ａとの間に隙間５１を確保した状態で配置される。その後、スライドステージ２のジャッキ２４３（図４（ａ）参照）により、取付位置に合わせて梁部材３１ａを若干持ち上げる。
【００５０】
その後、図７（ｃ）に示すように、上部柱１５１の傾斜を元に戻し、上部柱１５１と下部柱１５３を溶接等して接合するとともに、ブラケット１５ａと梁部材３１ａの端部を接合する。このようにして、梁部材３１ａの両端部を両側のブラケット１５ａにそれぞれ取り付ける。その後、梁部材３１ａの上部にデッキプレート（不図示）を敷設するなど、必要な作業を行う。
【００５１】
なお、梁部材３１ａは上記のようにブラケット１５ａに取り付けず、構造体１の両側の梁１７に取り付ける場合もある。この場合では、例えば、延長材を用いて梁部材３１ａの梁スパン方向の部材長さを延長して両側の梁１７間の距離に合わせ、両端部を両側の梁１７にそれぞれ取り付ければよい。
【００５２】
このように、梁部材の架設位置が前記の作業クレーンの可動範囲外にある場合では、該作業クレーンの可動範囲内においてスライドステージ２上で梁部材を構築し、その後スライドステージ２を架設位置まで移動させ、梁部材の取り付けを行うことができる。
【００５３】
（３．梁部材３１ｂ〜３１ｄの構築と取付）
上記のように梁部材３１ａを架設した後、図８に示すように手前側にスライドステージ２を移動させ、そのスライドステージ２上で、前記の作業クレーン等を用いて梁部材３１ｂを構築し、該梁部材３１ｂを構造体１に取り付ける。
【００５４】
続いて、図９に示すように、梁部材３１ｂの隣にある次の梁部材の架設位置にスライドステージ２を移動させ、上記と同様の手順で梁部材３１ｃをスライドステージ２の上で構築し、構造体１に取り付ける。
【００５５】
その後、図１０に示すように、手前側の端部にある次の梁部材の架設位置にスライドステージ２を移動させ、同じく同様の手順で梁部材３１ｄを構築して構造体１に取り付ける。
【００５６】
なお、各梁部材３１ｂ〜３１ｄの取付後には、前記と同様に上部にデッキプレートを敷設するなどの必要な作業を行う。また、梁部材３１ｂと梁部材３１ｄの間には、後述するクレーン１９の搬入に使用する空間を設けておく。
【００５７】
本実施形態において、梁部材３１ｂ〜３１ｄの架設位置は、前記の作業クレーンの可動範囲内にある。この場合では、上記のようにスライドステージ２を架設位置まで移動させた後、該作業クレーンを用いて必要な部材を吊り込んでこれを組み立て梁部材を構築し、これを構造体１に取り付けることができる。
【００５８】
（４．梁部材３１ｅの取付等）
上記のようにして梁部材３１ａ〜３１ｄを架設した後、図１１に示すように、梁部材３１ａと梁部材３１ｃの間にある次の梁部材の架設位置までスライドステージ２を移動させる。その後、スライドステージ２として用いた前記の梁部材３１ｅを構造体１に取り付ける作業に移る。
【００５９】
梁部材３１ｅの取付時には、まずスライドステージ２の作業台２４（図４（ａ）参照）を解体して撤去するとともに、図１２（ａ）に示すように、柱１５の上端に揚重部６１を取り付ける。
【００６０】
この揚重部６１では、例えばセンターホールジャッキにより梁部材３１ｅを揚重する。センターホールジャッキは、ジャッキ本体の中心部に通したＰＣ鋼棒をジャッキ本体により引き上げるもので、該ＰＣ鋼棒の一端を梁部材３１ｅに取り付けてこれを揚重することができる。しかし、これに限らず、梁部材３１ｅを揚重できるものであれば種々の機構を利用可能である。
【００６１】
次に、図１２（ｂ）に示すように、梁部材３１ｅの端部に滑動部６３とジャッキ６４を取り付け、梁部材３１ｅを引き上げる。滑動部６３には、例えばローラーの回転により対象物上を滑動するチルタンク（登録商標）を用いることができるが、これに限ることはない。
【００６２】
梁部材３１ｅを引き上げる際、柱１５には梁部材３１ｅの引き上げに伴う反力が揚重部６１から加わる。これにより、図に示すように柱１５が若干内側に回転してブラケット１５ａが内側に移動する。従って、これが梁部材３１ｅの引き上げと干渉する恐れがある。
【００６３】
しかし、本実施形態では、梁部材３１ｅの端部に滑動部６３を取り付けているので、図１２（ｃ）に示すように、この滑動部６３がブラケット１５ａと接した状態で梁部材３１ｅを引き上げることができる。この際、滑動部６３と梁部材３１ｅとの間に配置されたジャッキ６４を用い、滑動部６３が矢印Ｇに示すように柱１５を外側に押し広げつつブラケット１５ａ上を滑動しながら上方に移動するようにする。従って、梁部材３１ｅの引き上げが妨げられることがない。
【００６４】
こうして梁部材３１ｅを引き上げて、梁部材３１ｅをブラケット１５ａに取り付ける。その後、前記と同様にデッキプレートを敷設するなど必要な作業を行う。
【００６５】
梁部材３１ｅの架設後は、スライドステージ２の残ったスライド台２１（図４（ａ）参照）を解体し撤去するともにクレーンガーター１３上の摺動材１３ａ（図４（ｂ）参照）を取り外し、図１３に示すように、クレーンガーター１３上にレール１３ｂを設置する。そして、吊上装置１９ａおよび吊上装置１９ａを屋根架構方向（図１３（ａ）の左右方向）に移動させるための桁材１９ｂからなる、タービン棟で用いる本設のクレーン１９を梁部材３１ｂ、３１ｄの間から吊り込んで搬入し、桁材１９ｂの両端部をクレーンガーター１３上のレール１３ｂに設置する。これにより、クレーン１９がクレーンガーター１３のレール１３ｂに沿って移動可能になる。
【００６６】
最後に、図１４に示すように、梁部材３１ｄ、３１ｂの間、梁部材３１ｃ、３１ｅの間、および梁部材３１ｅ、３１ａの間に、それぞれ、小梁部材３３ａ、３３ｂ、３３ｃを架け渡す。これらの小梁部材３３ａ〜３３ｃ上で前記と同様デッキプレートを敷設する等の必要な作業を行った後、梁部材３１ａ〜３１ｅ、小梁部材３３ａ〜３３ｃ上にコンクリートを打設する等して、構造体１の屋根部が構築される。
【００６７】
以上の屋根架構作業は、ベントの構築等を最小限にして行うので、構造体１の低層階における躯体構築作業と並行して行うことができる。例えば前記の下部構造１１が構築されていない部分１２（図１参照）ではタービンを配置するためのタービン架台を構築するが、これと上記の屋根架構作業は並行して行うことができる。この部分１２の上方を板材などで覆っておけば、屋根架構作業等で工具等が落下しても被害を与えることがない。
【００６８】
以上説明したように、本実施形態によれば、本設の梁部材３１ｅを用いたスライドステージ２を利用して、そこで新たに別の梁部材３１ａ〜３１ｄの構築を行う。そして、この梁部材３１ａ〜３１ｄを構造体１に取り付けるとともに、その後スライドステージ２に利用した梁部材３１ｅを構造体１に取り付けて屋根部を構築する。通常、スライドステージ２は仮設のものであり最後に撤去するが、本発明においては、上記のようにスライドステージ２の一部として本設の梁部材３１ｅを用いているので、仮設材の量を減らすことができ撤去も容易になり、仮設材の設置、撤去に係る工程が短縮される。
また、スライドステージ２上で梁部材３１ａ〜３１ｄを構築し、これを架設するので、下からのベントを最小限として梁部材３１ａ〜３１ｄの構築および架設ができ、屋根架構と低層階での躯体構築の並行作業が可能となる。さらに、スライドステージ２を活用して堅牢な足場上で作業ができるので、墜落防止に役立つとともに飛来物落下による災害が軽減できる。
【００６９】
また、本実施形態では、本設のクレーンガーター１３を利用してスライドステージ２を移動させることで、仮設のレール等を別に設けずとも、スライドステージ２を移動させることができる。
このようにスライドステージ２を移動可能とすると、例えば作業クレーンの届く範囲で構築した梁部材３１ａを該範囲の外に移動させて別の位置に取り付けたり、スライドステージ２を作業クレーンの届く範囲まで移動させその上で梁部材３１ｂ〜３１ｄの構築と取付を行うことができる。従って、構造体１の周囲に作業スペースがない場合に作業クレーンの数を減らしたり、作業クレーンの揚重能力、可動範囲が限定的なものであっても容易に施工ができ、スライドステージ２に本設の梁部材３１ｅを用いる構成と相まって、作業性をさらに高めることができる。ただし、これに限ることはなく、クレーンガーター１３以外の手段で移動させることなども可能である。
【００７０】
また、本実施形態では、梁部材３１ｂ、３１ｄの間に空間を設けておき、これをクレーン１９の搬入に用いるので、クレーンガーター１３上へのクレーン１９の配置が容易になる。
【００７１】
また、スライドステージ２とクレーンガーター１３には、摺動材２１３ｂ、１３ａをそれぞれ設けているので、スライドステージ２をクレーンガーター１３の上で滑らせて移動させることができる。従って、スライドステージ２の移動をジャッキ２１５等を用いて容易に行える。
【００７２】
さらに、本実施形態では、梁部材取付のため柱１５にブラケット１５ａを設けているが、クレーンガーター１３に沿って奥の端部にあるブラケット１５ａの突出長さを、それ以外のブラケット１５ａより長くしている。従って、該端部のブラケット１５ａに取り付ける梁部材３１ａをスライドステージ２で移動させる際、この梁部材３１ａが他のブラケット１５ａに干渉することがなくなる。
【００７３】
また、本実施形態では、スライドステージ２に用いた梁部材３１ｅを取り付けるため、柱１５の上部に揚重部６１を取り付けて梁部材３１ｅを引き上げる。これにより容易に作業ができるが、この際、揚重に伴う反力により柱１５が内に回転しブラケット１５ａが梁部材３１ｅの引き上げを妨げる恐れがある。しかし、本実施形態では梁部材３１ｅの端部に滑動部６３を設け、これにより柱１５を押し広げつつブラケット１５ａ上を滑らせることで、梁部材３１ｅの引き上げを容易に行うことができる。
【００７４】
以上、添付図を参照しながら、本発明の実施形態を説明したが、本発明の技術的範囲は、前述した実施形態に限定されるものではない。当業者であれば、特許請求の範囲に記載された技術的思想の範疇内において各種の変更例または修正例に想到し得ることは明らかであり、それらについても当然に本発明の技術的範囲に属するものと了解される。
例えば、本発明の梁部材の架設方法が適用される構造体は実施形態で説明したようなタービン棟に限ることはない。本発明はその他様々な構造体に適用することができ、大規模な梁を架設する必要がある場合には特に有効である。
【符号の説明】
【００７５】
１：構造体
２：スライドステージ
１３：クレーンガーター
１３ａ、２１３ｂ：摺動材
１５：柱
１５ａ：ブラケット
１７：梁
１９：クレーン
２１：スライド台
２４：作業台
３１ａ〜３１ｅ、３３ａ〜３３ｃ：梁部材
６１：揚重部
６３：滑動部
【図１】
2014025282.tif 000003
【図２】
2014025282.tif 000004
【図３】
2014025282.tif 000005
【図４】
2014025282.tif 000006
【図５】
2014025282.tif 000007
【図６】
2014025282.tif 000008
【図７】
2014025282.tif 000009
【図８】
2014025282.tif 000010
【図９】
2014025282.tif 000011
【図１０】
2014025282.tif 000012
【図１１】
2014025282.tif 000013
【図１２】
2014025282.tif 000014
【図１３】
2014025282.tif 000015
【図１４】
2014025282.tif 000016